(57)【要約】【課題】翼付留置針５をプロテクタ本体内へ収納する操作が簡単であり、かつ、確実に針刺し事故や感染を回避することのできる翼付留置針用プロテクタ１を提供する。【解決手段】翼付留置針用プロテクタ１ａは、外筒２と、樋状部材３と、該外筒２と該樋状部材３とを係合させる係合手段とからなり、該外筒２の周壁には、先端から軸方向に沿って切り込んで前記中空針５ｂより長く、かつ、両翼片６をそれぞれ挿入自在な一対のスリット７ａが設けられ、前記樋状部材３の両側縁は、該外筒２に内設したとき該スリット７ａの近傍に位置し、該樋状部材３の両側縁には、内側に折れ曲がり自在の突片がそれぞれ連設され、該突片の軸方向先端部は、該樋状部材３の側縁に向かって傾斜する傾斜部を形成し、該突片の軸方向基端部は、翼片６を係止する係止部を形成する。【選択図】  図１
2004180911.tif 000002
【特許請求の範囲】
【請求項１】
先端に刃先を有する中空針と、該中空針の基端を保持する保持筒と、該保持筒と一体に形成された一対の翼片とを備えた翼付留置針を収納する翼付留置針用プロテクタにおいて、
該翼付留置針用プロテクタは、略円筒状の外筒と、該外筒に内設された樋状部材と、該外筒と該樋状部材とを係合させる係合手段とからなり、
該外筒の周壁には、先端から軸方向に沿って切り込んで前記中空針より長く、かつ、両翼片をそれぞれ挿入自在な一対のスリットが設けられ、
前記樋状部材の両側縁は、該外筒に内設したとき該スリットの近傍に位置し、該樋状部材の両側縁には、内側に折れ曲がり自在の突片がそれぞれ連設され、該突片の軸方向先端部は、該樋状部材の側縁に向かって傾斜する傾斜部を形成し、
該突片の軸方向基端部は、翼片を係止する係止部を形成することを特徴とする翼付留置針用プロテクタ。
【請求項２】
前記突片は、両スリットを跨って前記外筒の内壁上方まで達していることを特徴とする請求項１記載の翼付留置針用プロテクタ。
【請求項３】
前記スリットの一方は、外筒の周壁を先端から基端まで軸方向に沿って切り込んで設けられており、
前記樋状部材の一方の側縁基端部には、一方のスリットの基端部を閉塞して、スリットに挿入された翼片を係止し、かつ、内側に折れ曲がり自在の翼片係止用片が設けられていることを特徴とする請求項２記載の翼付留置針用プロテクタ。
【発明の詳細な説明】
【０００１】
【発明の属する技術分野】
本発明は、点滴等の医療行為に使用される翼付留置針のプロテクタに関する。
【０００２】
【従来の技術】
従来、中空針と、該中空針の基端を保持する保持筒と、該保持筒と一体に形成された一対の翼片とを備えた翼付留置針が点滴等の医療行為に使用されている。医療行為者は両翼片を合掌状態にして挟持し、中空針を患者の血管に穿入し、しかる後に両翼を拡げて粘着テープにより患者の皮膚に貼り付けて中空針を固定する。そして、中空針を介して患者への点滴等を行う。使用済みとなった翼付留置針は患者から取り外されて廃棄されるが、中空針がむき出しになっていると廃棄処理を行う者が中空針に刺されたり、触れたりして病原菌などに感染するおそれがある。
【０００３】
針刺し事故や感染を回避するため、略円筒状のプロテクタ本体の周壁に軸方向に沿って径方向に略対称に一対のスリットを設けた翼付留置針用プロテクタが用いられている。かかる翼付留置針用プロテクタによれば、拡がった状態の翼片がスリットの先端から後方に徐々に摺動して挿入され、これに伴い中空針も徐々に後方に移動してプロテクタ本体内に収納される。しかし、一定以上の力により翼片がスリットに沿って先端方向に摺動自在であるので、中空針が翼付留置針用プロテクタの先端から突出し、針刺し事故や感染が起こるおそれが残る。
【０００４】
かかる不都合を解消すべく、略円筒状のプロテクタ本体の周壁を先端から軸方向に沿って切り込んで、中空針より長く、かつ、合掌状態の前記翼片が摺動自在な一本のスリットを設け、該プロテクタ本体の周壁を周方向に部分的に切り欠いて拡翼状の前記翼片を嵌める翼用溝を該スリットに連続して設けたことを特徴とする翼付留置針用プロテクタが知られている（例えば、特許文献１参照。）。
【０００５】
しかしながら、翼付留置針をプロテクタ本体内へ収納する際に、両翼片を合掌する必要があるため、プロテクタ本体内に収納する操作が複雑であるという問題がある。
【０００６】
【特許文献１】
特開平１１−３１９０８６号公報（第２−３頁、第２図）
【０００７】
【発明が解決しようとする課題】
本発明は上記背景を鑑みてなされたものであり、翼付留置針をプロテクタ本体内へ収納する操作が簡単であり、かつ、確実に針刺し事故や感染を回避することのできる翼付留置針用プロテクタを提供することを目的とする。
【０００８】
【課題を解決するための手段】
上記目的を達成するため、本発明の翼付留置針用プロテクタは、先端に刃先を有する中空針と、該中空針の基端を保持する保持筒と、該保持筒と一体に形成された一対の翼片とを備えた翼付留置針を収納する翼付留置針用プロテクタの改良に関する。
【０００９】
本発明の前記翼付留置針用プロテクタは、略円筒状の外筒と、該外筒に内設された樋状部材と、該外筒と該樋状部材とを係合させる係合手段とからなり、該外筒の周壁には、先端から軸方向に沿って切り込んで前記中空針より長く、かつ、両翼片をそれぞれ挿入自在な一対のスリットが設けられ、前記樋状部材の両側縁は、該外筒に内設したとき該スリットの近傍に位置し、該樋状部材の両側縁には、内側に折れ曲がり自在の突片がそれぞれ連設され、該突片の軸方向先端部は、該樋状部材の側縁に向かって傾斜する傾斜部を形成し、該突片の軸方向基端部は、翼片を係止する係止部を形成することを特徴とする。
【００１０】
かかる発明によれば、翼片を合掌することなく、翼片を把持してそのまま後方に引張し、両スリットに挿入することができる。そして、各突片の軸方向先端に傾斜部が形成されているため、翼片を後方に引張すると共に、各突片が内側に折れ曲がる。両翼片が各スリットの基端まで移動すると、各突片は、復元力により起き上がり、再び元の位置に戻る。突片の軸方向基端部には、翼片を係止する係止部が形成されているため、翼片が再び軸方向に移動することを防止する。また、中空針は、翼片と共に後方へ移動しプロテクタ内へ収納される。これにより、翼付留置針をプロテクタ本体内へ収納する操作が簡単な翼付留置針用プロテクタを提供することができる。
【００１１】
また、前記突片は、前記スリットを跨って前記外筒の内壁上方まで達していることが好ましい。かかる発明によれば、該突片は、外側に折れ曲がろうとする力が加わるとき該外筒の内壁に係止される。このため、一定以上の力が加わることにより、中空針がスリットから突出することをより確実に防止する。
【００１２】
また、前記スリットの一方は、外筒の周壁を先端から基端まで軸方向に沿って切り込んで設けられており、前記樋状部材の一方の側縁基端部には、一方のスリットの基端部を閉塞して、スリットに挿入された翼片を係止し、かつ、内側に折れ曲がり自在の翼片係止用片が設けられていることが好ましい。
【００１３】
かかる発明によれば、先端に翼付留置針を備えるチューブが、基端に輸液バッグ等を備える状態に組み立てられた後であっても、本発明の翼付留置針用プロテクタを前記一方のスリットからチューブに装着することができる。
【００１４】
【発明の実施の形態】
本発明の実施の形態を図１から図７を参照して説明する。図１は、本発明にかかる第１実施形態の翼付留置針用プロテクタを示す全体図、図２は、第１実施形態の翼付留置針用プロテクタを分解した状態を示す説明図、図３は、第１実施形態の外筒の一部を切り欠いて示す説明図、図４は、翼付留置針を第１実施形態の翼付留置針用プロテクタに収納した状態を示す説明図、図５は、第１実施形態の突片が内側に折れ曲がる様子を示す説明図、図６は、本発明にかかる第２実施形態の翼付留置針用プロテクタを示す全体図、図７は、第２実施形態の翼付留置針用プロテクタを分解した状態を示す説明図である。
【００１５】
図１に示すように、第１実施形態の翼付留置針用プロテクタ１ａは、外筒２と、樋状部材３とからなる。翼付留置針用プロテクタ１ａ内には基端にチューブ４が接続された翼付留置針５が軸方向に移動自在に挿入されている。翼付留置針５には、刃先５ａを先端に有する略円筒状の中空針５ｂと、該中空針５ｂの基端を保持する略円筒状の保持筒５ｃと、該保持筒５ｃの径方向に対称に一体に形成され軟性の樹脂からなる一対の翼片６とが設けられている。中空針５ｂはチューブ４を介して図示しない医療器具に接続されている。
【００１６】
外筒２は、図２に示すように、その周壁を軸方向に沿って切り欠いた一対のスリット７ａが設けられている。両スリット７ａは、外筒２の先端から中央部まで形成され、中空針よりも長い。また、両スリット７ａは、各翼片６を挿入自在である。また、両スリット７ａの先端は翼片６を案内するようテーパー状に形成されている。
【００１７】
外筒２の基端部には、外径を大きく形成した大径部２ａが形成されている。大径部２ａの内壁には、図３に一部切り欠いて示すように、環状溝２ｂが形成されている。また、外筒２の上周壁部２ｃは肉厚に形成されている。これにより外筒２の内壁には、段差２ｄが形成されている。この段差２ｄが、後述するように、第１実施形態の係合手段の一部を構成する。
【００１８】
図２に示すように、樋状部材３の基端縁には、環状部材３ａが径方向に突出して連設されている。また、環状部材３ａは、容易に縮径自在となるように切欠部３ｂが形成されている。そして、環状部材３ａは、図３に示す、外筒２の環状溝２ｂに嵌め込まれる。また、図１に示すように、樋状部材３の両側縁は、両スリット７ａの近傍に位置する。樋状部材３の両側縁先端部には、図２に示すように、一対の突片８ａが、溝９を介して内側に折れ曲がり自在に、軸方向に２つ並んで連設されている。各突片８ａの軸方向先端には、樋状部材３の側縁に向かって傾斜する傾斜部が形成されている。また、各突片８ａの軸方向基端は、第１実施形態における係止部として、軸方向に対して略垂直に形成されている。翼付留置針５を翼付留置針用プロテクタ１ａに収納したとき、図４に示すように、各突片８ａと各スリット７ａ基端との間隙に翼片６が保持される。
【００１９】
突片８ａは、図５に示すように、各スリット７ａを跨って外筒２の内壁に接触している。また、突片８ａの先端は、外筒２の段差２ｄに係止され、軸方向を中心とする回転が防止されている。第１実施形態においては、段差２ｄによる突片８ａ先端の係止、及び環状溝２ｄと環状部材３ａとの嵌合により係合手段が構成され、樋状部材３の外筒２内への設置位置が案内される。また、外筒２と樋状部材３とは接着されている。
【００２０】
次いで、図４と図５とを参照して、翼付留置針５を翼付留置針用プロテクタ１ａ内に収納する工程を説明する。医療行為者は、図５（ａ）に示すように、翼片６を把持し、後方へ引張して、両翼片６を各スリット７ａへ挿入する。そして、図５（ｂ）に示すように、両翼片６は、先端方向の各突片８ａを内側に折り曲げながら、各スリット７ａを進む。次いで、図５（ｃ）に示すように、基端方向の突片８ａを内側に折り曲げながら、先端方向の突片８ａは復元力により起き上がる。次いで、図４、図５（ｄ）に示すように、両翼片６は、各スリット７ａの基端に係止され、基端方向の突片８ａも起きあがる。これにより、両翼片６は、各スリット７ａと突片８ａとの間隙に保持される。
【００２１】
第１実施形態にかかる翼付留置針用プロテクタ１ａによれば、一対の翼片６を合掌することなく、そのまま後方の両スリット７ａに引張して挿入することができる。そして、両翼片６が、各スリット７ａの基端と突片８ａとの間隙に保持されるため、一定以上の力により両翼片６が各スリット７ａに沿って先端方向に移動することを防止することができる。すなわち、翼付留置針をプロテクタ本体内へ収納する操作が簡単であり、かつ、確実に針刺し事故や感染を回避することができる。
【００２２】
また、各突片８ａにより各スリット７ａが閉塞され、さらに、突片８ａは、外側に折れ曲がろうとする力が加わるとき外筒２の内壁に係止される。このため、中空針５ｂが両スリット７ａから突出することを防止することができる。また、第１実施形態の翼付留置針用プロテクタ１ａは、外筒２と樋状部材３との２部材で構成されるため、例えば、樋状部材３を外筒２よりも軟質の素材で形成するなど、両者を異なる素材で形成することもできる。また、突片８ａが軸先端方向と基端方向との２片に分けて形成されているため、突片８ａは、翼付留置針５を収納する際に、容易に内側に折曲がることができる。
【００２３】
次いで、図６、図７を参照して、本発明にかかる第２実施形態の翼付留置針用プロテクタ１ｂについて説明する。
【００２４】
第２実施形態の翼付留置針用プロテクタ１ｂは、図６に示すように、第１実施形態の翼付留置針用プロテクタ１ａと同様に外筒２と樋状部材３とからなる。また、図７に分解して示すように、外筒２の一方のスリット７ｂは、軸方向先端から基端まで形成されている。スリット７ｂの基端部には、チューブ４を挟んで翼付留置針用プロテクタ１ｂの位置を固定するための幅広部７ｃが形成されている。
【００２５】
樋状部材３の環状部材３ａには、幅広部７ｃを開口するように切欠部３ｂが形成されている。また、樋状部材３の一方の側端縁には、溝９を介して、幅広部７ｃの先端部を閉塞する翼片係止用片８ｂが設けられている。翼片係止用片８ｂは、溝９により内側に折れ曲がり自在である。また、翼片係止用片８ｂの先端は、外筒２の内壁と接触して設けられているため、外側への折れ曲がりをより確実に防止する。上記以外の第２実施形態の翼付留置針用プロテクタ１ｂの構成は、全て第１実施形態の翼付留置針用プロテクタ１ａの構成と同一である。
【００２６】
第２実施形態にかかる翼付留置針用プロテクタ１ｂによれば、先端に翼付留置針５を備えるチューブ４が、基端に輸液バッグ等を備える状態に組み立てられた後であっても、翼付留置針用プロテクタ１ｂをスリット７ｂからチューブ４に装着することができる。
【図面の簡単な説明】
【図１】本発明にかかる第１実施形態の翼付留置針用プロテクタを示す全体図。
【図２】第１実施形態の翼付留置針用プロテクタを分解した状態を示す説明図。
【図３】第１実施形態の外筒の一部を切り欠いて示す説明図。
【図４】翼付留置針を第１実施形態の翼付留置針用プロテクタに収納した状態を示す説明図。
【図５】第１実施形態の突片が内側に折れ曲がる様子を示す説明図。
【図６】本発明にかかる第２実施形態の翼付留置針用プロテクタを示す全体図。
【図７】第２実施形態の翼付留置針用プロテクタを分解した状態を示す説明図。
【符号の説明】
１…翼付留置針用プロテクタ、  ２…外筒、  ２ａ…大径部、  ２ｂ…環状溝、２ｃ…上周壁部、  ２ｄ…段差、  ３…樋状部材、  ３ａ…環状部材、  ３ｂ…切欠部、  ４…チューブ、  ５…翼付留置針、  ５ａ…刃先、  ５ｂ…中空針、  ５ｃ…保持筒、  ６…翼片、  ７ａ，７ｂ…スリット、  ７ｃ…幅広部、  ８ａ…突片、  ８ｂ…翼片係止用片、  ９…溝。
【図１】
2004180911.tif 000003
【図２】
2004180911.tif 000004
【図３】
2004180911.tif 000005
【図４】
2004180911.tif 000006
【図５】
2004180911.tif 000007
【図６】
2004180911.tif 000008
【図７】
2004180911.tif 000009